(57)【要約】      （修正有）【課題】高い耐久性能と施工性を兼ね備える間仕切り用の柱を提供する。【解決手段】前後左右に配置する構成材１ａ、１ｂ、１ｃ、１ｄは４５度に傾斜した一方の傾斜面６ａと４５度に傾斜し、他方の傾斜面６ｂと底面Ｗとを有する断面略三角形を成し、一方の傾斜面６ａに設けた中央を向く鉤状の第一係止部８ａと他方の傾斜面６ｂに設けた中央と反対側を向く鉤状の第二係止部８ｂとを有し、隣り合う一の構成材１ａ、１ｂ、１ｃ、１ｄと他の構成材１ａ、１ｂ、１ｃ、１ｄの傾斜面６ａ、６ｂにおける第一係止部８ａ及び第二係止部８ｂを含んだ少なくとも一部９ａ、９ｂ、９ｃを当接すると共に第一係止部８ａを第二係止部８ｂに係止し、中央に配置する固定部材２ａ、２ｂは、構成材１ａ、１ｂ、１ｃ、１ｄの一方の傾斜面６ａに各々当接し、構成材１ａ、１ｂ、１ｃ、１ｄのうちの少なくとも一つは、底面Ｗにパネル取付部４を有していることを特徴とする。【選択図】図１（ａ）（ｂ）
2009138431.tif 000002
【特許請求の範囲】
【請求項１】
前後左右に配置する四つの構成材と、中央に配置する固定部材を備え、構成材は、４５度に傾斜した一方の傾斜面と、４５度に傾斜し且つ一方の傾斜面より短い他方の傾斜面と、底面とを有する断面略三角形を成し、一方の傾斜面に設けた中央を向く鉤状の第一係止部と、他方の傾斜面に設けた中央と反対側を向く鉤状の第二係止部とを有し、隣り合う一の構成材と他の構成材の傾斜面における第一係止部及び第二係止部を含んだ少なくとも一部を当接すると共に第一係止部を第二係止部に係止し、固定部材は、前後左右の面が四つの構成材の一方の傾斜面に各々当接し、構成材のうちの少なくとも一つは、底面にパネル取付部を有していることを特徴とする柱。 
【発明の詳細な説明】
【技術分野】
【０００１】
本発明は、フィッティングルームや会議室など間仕切り用の柱に関するものである。
【背景技術】
【０００２】
例えば、特許文献１に示されるような、前後左右に配置した四つの構成材を有すると共に、各構成材は中央側に略同一形状の連結部を有し、その四つの構成材を適宜組み合わせることにより、フィッティングルームや会議室、応接室など、その目的に合わせて間仕切りのレイアウトを変更できるものがあった。具体的には、隣接するパネルの連結部同士の当接面に上下方向に連続する溝が設けてあり、その溝に棒状をなす樹脂の係止部材を挿入すると共に、その係止部材に対して一方の連結部と隣接する他方の連結部の溝を弾性的に嵌め入れて係止するものであった。
【特許文献１】特開２００２−１６１５９９号公報
【発明の開示】
【発明が解決しようとする課題】
【０００３】
しかしながら、特許文献１のものは、隣接する連結部同士を弾性的に嵌め入れて係止してあり、一つの連結部を幅方向に引き離すか、あるいは、固定部材を各連結部の上下端縁のいずれかから抜き出すことで容易に、各連結部の連結状態が解除されるものであったため、組み立てた後の連結状態が弱く、しかも、固定部材が樹脂であるために耐久性に難があった。また、目的の間取りとなるようにパネルの枚数を増やしていけば、それに伴って固定部材の数も増えていくので、組み立てが大変煩雑となってしまうために施工面の問題があった。
本発明は、上記課題を鑑みてなされたものであり、高い耐久性能と施工性を兼ね備える間仕切り用の柱を提供することにある。
【課題を解決するための手段】
【０００４】
本発明の請求項１記載の発明は、前後左右に配置する四つの構成材と、中央に配置する固定部材を備え、構成材は、４５度に傾斜した一方の傾斜面と、４５度に傾斜し且つ一方の傾斜面より短い他方の傾斜面と、底面とを有する断面略三角形を成し、一方の傾斜面に設けた中央を向く鉤状の第一係止部と、他方の傾斜面に設けた中央と反対側を向く鉤状の第二係止部とを有し、隣り合う一の構成材と他の構成材の傾斜面における第一係止部及び第二係止部を含んだ少なくとも一部を当接すると共に第一係止部を第二係止部に係止し、固定部材は、前後左右の面が四つの構成材の一方の傾斜面に各々当接し、構成材のうちの少なくとも一つは、底面にパネル取付部を有していることを特徴とする。
【発明の効果】
【０００５】
請求項１記載の発明の効果によれば、一の構成材の一方の傾斜面に設けてある鉤状の第一係止部と、他の構成材の他方の傾斜面に設けてある鉤状の第二係止部が係止することから、四つの構成材同士が中央から外側に向かう方向に外れにくくなり、しかも、一方の傾斜面が他方の傾斜面よりも長く形成してあることで、一方の傾斜面の一部が固定部材と当接して構成材同士が中央側に向かう方向においても外れにくくなる。これにより、四つの構成材同士の係止状態が堅牢となって高い耐久性を備える柱が得られる。また、隣接する一の構成材同士の第一係止部と第二係止部のいずれかの先端部を他の構成材の傾斜面に沿ってスライドし、第一係止部又は第二係止部と傾斜面とに囲まれる内周側の空間に他方の係止部の先端部を挿入することで、互いが鉤状をなす第一係止部と第二係止部の先端部同士が係止することから、構成材同士を容易に連結することができて施工性がよい。また、四つの構成材が略同一形状をなすことで、パネル取付部の有無のみ相違する二種類のものがあれば足り、しかも、四つの構成材の中央に形成される一箇所の空間部に固定部材を配置すればよいので、部品点数を抑えることができる。
【発明を実施するための最良の形態】
【０００６】
以下に、図面に基づいて本実施による柱の実施の形態を説明する。
図１は、四つの構成材を適宜組み合わせて間仕切りのレイアウトのパターン例を示す平面図であり、（ａ）は、組み合わせて略一直線状をなすもの、（ｂ）は、略十字状をなすものである。図２は、固定部材を柱に固定するときの状態を示す斜視図であり、（ａ）は、四つの構成材及びパネルを展開したときの斜視図であり、（ｂ）は、上端部及び下端部の固定部材の取付状態を示す一部を切り欠いた斜視図である。図３（ａ）〜（ｄ）は、略十字状に間仕切りを形成するときの組み立ての手順を示す平面図である。
【０００７】
本実施による柱は、図１（ａ）（ｂ）を参照すれば、前後左右に配置する四つの構成材１ａ、１ｂ、１ｃ、１ｄと、中央に配置する上下の各固定部材２ａ、２ｂとから構成するものである。
四つの構成材１ａ、１ｂ、１ｃ、１ｄは、図１（ａ）のように、向かい合う中央側に同一形状をなしており、底面Ｗにパネル取付部４を有するもの、及び底面Ｗがフラットに形成してあるものの二種類があり、すべての構成材１ａ、１ｂ、１ｃ、１ｄの底面Ｗにパネル取付部４を有するもの、あるいは、すべての構成材１ａ、１ｂ、１ｃ、１ｄの底面Ｗが柱の側壁面をなすフラットなものまで四つの構成材１ａ、１ｂ、１ｃ、１ｄを自由に組み合わせることができる。パネル取付部４は、構成材１ａ、１ｂ、１ｃ、１ｄの底面Ｗの幅方向に間隔をあけた両端部から二つの取付片４ａ、４ａが平行に突出しており、各取付片４ａ、４ａと底面Ｗで囲まれた略凹字状の内周側部にパネル５が嵌合してある。また、パネル取付部４のないほうの構成材１ａ、１ｃの底面Ｗは、間仕切りを組み立てた後に本柱の側壁部をなしてフラットに形成してある。四つの構成材１ａ、１ｂ、１ｃ、１ｄは、４５度に傾斜し且つ固定部材２ａ、２ｂに一部７が当接する一方の傾斜面６ａと他方の傾斜面６ｂと、底面Ｗとから略三角形状をなしており、一方の傾斜面６ａは、その傾斜面６ａから離れる方向に突出し且つ先端部が屈曲して傾斜面６ａと略平行して中央に向けて突出する鉤状の第一係止部８ａを有している。他方の傾斜面６ｂは、その傾斜面６ｂから離れる方向に突出し且つ先端部が屈曲して傾斜面６ｂと略平行して中央と反対側に向けて突出する鉤状の第二係止部８ｂを有している。また、一方の傾斜面６ａは、他方の傾斜面６ｂよりも長く形成してあり、四つの構成材１ａ、１ｂ、１ｃ、１ｄのすべての一方の傾斜面６ａの一部７が固定部材２ａ、２ｂに当接する。また、四つの構成材１ａ、１ｂ、１ｃ、１ｄは、隣りあう二つの構成材１ａ、１ｂ、１ｃ、１ｄの隣接する傾斜面６ａ、６ｂ同士の第一係止部８ａと第二係止部８ｂが係止してあると共に、隣接する傾斜面６ａ、６ｂ同士の係止部８ａ、８ｂ間の一部９ａ及び傾斜面６ａ、６ｂの頂部側間の一部９ｂと底面側間の一部９ｃが当接し、これにより、四つの構成材１ａ、１ｂ、１ｃ、１ｄが係止したときの係止状態が安定する。また、四つの構成材１ａ、１ｂ、１ｃ、１ｄが係止したときに、その中央に空間部Ｓを形成し、その空間部Ｓに固定部材２ａ、２ｂを挿入して四つの構成材１ａ、１ｂ、１ｃ、１ｄの中央に配置するものである。
【０００８】
固定部材２ａ、２ｂは、図２（ａ）（ｂ）のように、本実施による柱では、四つの構成材１ａ、１ｂ、１ｃ、１ｄの中央に形成された空間部Ｓの上下両端部に各々配置するものであり、まず、空間部Ｓの上端部に配置するほうの固定部材２ａは、ネジ１０の先端にナット１１が取り付けてあると共に、ナット１１とネジ頭１０ａの間には変形自在なヒレ部１２が複数架設してある。また実際に、固定部材２ａを空間部Ｓに配置するときには、ナット１１がネジ頭１０ａに近づくに従い、各ヒレ部１２の上下方向の略中央部が略く字状に屈曲してネジ１０から外側に向けて張り出し、これにより、四つの構成材１ａ、１ｂ、１ｃ、１ｄの一方の傾斜面６ａの一部７に当接する（図２（ｂ）右図参照）。次に、空間部Ｓの下端部に配置する固定部材２ｂは、断面略矩形状をなす棒状のものであり、その固定部材２ｂを四つの構成材１ａ、１ｂ、１ｃ、１ｄの中央の空間部Ｓに挿入して配置したときに、固定部材２ｂの四面が四つの構成材１ａ、１ｂ、１ｃ、１ｄのすべての一方の傾斜面６ａの一部７に当接し、これにより、四つの構成材１ａ、１ｂ、１ｃ、１ｄ同士が連結してあるときに、中央に向かう方向に外れにくくなる。
【０００９】
図３（ａ）〜（ｄ）に基づいて、四つの構成材１ａ、１ｂ、１ｃ、１ｄと固定部材２ａ、２ｂによる間仕切りの組み立て手順を説明する。尚、図３（ａ）〜（ｄ）では空間部Ｓ上端部の固定部材２ａのみを図示しており、さらに、四つの構成材１ａ、１ｂ、１ｃ、１ｄのすべてがパネル取付部４を有するものを挙げて説明している。
図３（ａ）のように、まず、四つの構成材１ａ、１ｂ、１ｃ、１ｄのうちの隣接する二つの構成材（以下、左側の構成材、上側の構成材とする）１ａ、１ｂの傾斜面６ａ、６ｂ同士を接近し、左側の構成材１ｂの第一係止部８ａを上側の構成材１ａの傾斜面６ａに当接し、その傾斜面６ａに沿って当接する第一係止部８ａを中央に向けてスライドし、第一係止部８ａの先端部を上側の構成材１ａの第二係止部８ｂの鉤状の内周側に差し入れて互いを係止する。次いで図３（ｂ）のように、上側の構成材１ａと左側の構成材１ｂの他、隣接する二つの構成材（以下、下側の構成材、右側の構成材とする）１ｃ、１ｄの傾斜面６ａ、６ｂにある第一係止部８ａと第二係止部８ｂを係止して構成材１ｃ、１ｄ同士を連結する。図３（ｃ）のように、四つのうちの二つの構成材１ａ、１ｂ、１ｃ、１ｄを連結した各々二組のものを、さらに、一つの柱となるように連結させるが、下側の構成材１ｃの第一係止部８ａの先端部と右側の構成材１ｄの第二係止部８ｂの先端部が傾斜面６ａ、６ｂに平行して略同一方向に突出すると共に、左側の構成材１ｂの第二係止部８ｂの先端部と上側の構成材１ａの第一係止部８ａの先端部も傾斜面６ａ、６ｂに平行して略同一方向に突出している。最後に、下側の構成材１ｃと右側の構成材１ｄを係止してある一組の構成材１ａ、１ｂの係止していないほうの第一係止部８ａと第二係止部８ｂの先端部を、上側の構成材１ａと左側の構成材１ｂを係止してある一組の構成材１ｃ、１ｄの係止していないほうの第一係止部８ａと第二係止部８ｂの鉤状の内周側にスライドして差し込み、これにより互いの構成材１ａ、１ｂ、１ｃ、１ｄ同士を係止する。このときに、一の構成材１ａ、１ｂ、１ｃ、１ｄの一方の傾斜面６ａが他の構成材１ａ、１ｂ、１ｃ、１ｄの他方の傾斜面６ｂに当接するが、一方の傾斜面６ａが他方の傾斜面６ｂよりも長いために、四つの構成材１ａ、１ｂ、１ｃ、１ｄの一方の傾斜面６ａの中央側の一部７により囲まれた空間部Ｓを形成すると共に、その空間部Ｓに固定部材２ａ、２ｂを挿入し、固定部材２ａ、２ｂを四つの構成材１ａ、１ｂ、１ｃ、１ｄの中央に配置する。また、固定部材２ａ、２ｂについては、四つの構成材１ａ、１ｂ、１ｃ、１ｄを連結した後に空間部Ｓに挿入・配置してもよいし、あるいは、四つの構成材１ａ、１ｂ、１ｃ、１ｄを連結する途中の段階で配置してもよい。以上、各手順を経ることにより、図３（ｄ）のように、四つの構成材１ａ、１ｂ、１ｃ、１ｄが連結して中央に固定部材２ａ、２ｂを配置した間仕切りを形成することができる。
【００１０】
本発明は、上記実施形態のものに限らず、四つの構成材１ａ、１ｂ、１ｃ、１ｄのうち、パネル取付部４を有するものの数については特に限定するものではなく、本実施形態では記載しなかったが、パネルを略Ｌ字状や略Ｔ字状に配置してあるものや、パネル取付部４を有するものが一つのみであってもよい。固定部材２ａ、２ｂは、四つの構成材１ａ、１ｂ、１ｃ、１ｄの中央の空間部Ｓの上下方向の全長にわたって配置してもよいし、また、空間部Ｓの上端部と下端部に配置するものが同一の形態であってもよい。
【図面の簡単な説明】
【００１１】
【図１（ａ）（ｂ）】四つの構成材及び固定部材を配置したときのレイアウト例を示す横断面図であり、（ａ）は、二枚のパネルを略一直線状にレイアウトしたものであり、下図は、上図の一部を拡大した横断面図であり、（ｂ）は、四枚のパネルを略十字状にレイアウトしたものである。
【図２（ａ）（ｂ）】四つの構成材の中央の空間部に固定部材を配置したときの斜視図であり、（ａ）は、四つの構成材及びパネルを展開したときの斜視図であり、（ｂ）は、上端部及び下端部の固定部材の取付状態を示す一部を切り欠いた斜視図である。
【図３（ａ）（ｂ）（ｃ）（ｄ）】（ａ）（ｂ）（ｃ）（ｄ）は、四つの構成材を連結するときの手順を説明する平面図である。
【符号の説明】
【００１２】
１ａ、１ｂ、１ｃ、１ｄ  構成材
２ａ  上端部の固定部材（固定部材）
２ｂ  下端部の固定部材（固定部材）
４  パネル取付部
６ａ  一方の傾斜面
６ｂ  他方の傾斜面
８ａ  第一係止部
８ｂ  第二係止部
９ａ、９ｂ、９ｃ  一部
Ｓ  空間部
Ｗ  底面
【図１（ａ）（ｂ）】
2009138431.tif 000003
【図２（ａ）（ｂ）】
2009138431.tif 000004
【図３（ａ）（ｂ）（ｃ）（ｄ）】
2009138431.tif 000005